【手続補正書】
【提出日】平成28年1月26日(2016.1.26)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）のワイヤレス通信の方法であって、
送信中の少なくとも１つのリソースブロックを受信することと、前記少なくとも１つのリソースブロックが、前記ＵＥに固有の、基準信号（ＲＳ）の第１のセットを備える、
前記ＵＥに固有の、ＲＳの第２のセットが前記送信中で利用可能であるかどうかを判断することと、前記判断することは、発展型ノードＢ（ｅＮＢ）から、ＲＳの前記第２のセットが利用可能であるか否かを示す情報を受信することを備える、
ＲＳの前記第１のセットに基づいて、および利用可能と判断された場合、ＲＳの前記第２のセットにさらに基づいて、前記受信した少なくとも１つのリソースブロックを処理することとを備え、ＲＳの前記第２のセットが利用可能であると判断される場合、前記処理はＲＳの前記第２のセットに少なくとも部分的に基づいてサブフレームのダウンリンクタイミングを更新するために時間追跡を実行することを備える、方法。
【請求項２】
前記処理が、チャネル推定またはタイミング推定のうちの少なくとも１つを実行することを備える、請求項１に記載の方法。
【請求項３】
ＲＳの前記第１のセットとＲＳの前記第２のセットとが復調のためのＵＥ固有ＲＳ（ＵＥ−ＲＳ）である、請求項１に記載の方法。
【請求項４】
ＵＥ−ＲＳの前記第２のセットが前記少なくとも１つのリソースブロック内に含まれているとき、ＵＥ−ＲＳの前記第２のセットの利用可能性が判断される、請求項３に記載の方法。
【請求項５】
ＵＥ−ＲＳの前記第２のセットを備えるリソースブロックが前記少なくとも１つのリソースブロックと同じプリコーディングリソースブロックグループ（ＰＲＧ）に関連するとき、ＵＥ−ＲＳの前記第２のセットの利用可能性が判断される、請求項３に記載の方法。
【請求項６】
前記送信が前記ＵＥ用であり、ＵＥ−ＲＳの前記第１のセットが前記ＵＥ用であり、ＵＥ−ＲＳの前記第２のセットが別のＵＥ用であるかまたは他のいかなるＵＥ用でもない、請求項３に記載の方法。
【請求項７】
ＵＥ−ＲＳの前記第１のセットとＵＥ−ＲＳの前記第２のセットとが異なるプリコーディングを有する、請求項３に記載の方法。
【請求項８】
ＵＥ−ＲＳの前記第１のセットとＵＥ−ＲＳの前記第２のセットとが同じプリコーディングを有する、請求項３に記載の方法。
【請求項９】
ＲＳの前記第１のセットとＲＳの前記第２のセットとがチャネル状態情報基準信号（ＣＳＩ−ＲＳ）である、請求項１に記載の方法。
【請求項１０】
ＣＳＩ−ＲＳの前記第１のセットとＣＳＩ−ＲＳの前記第２のセットとが異なるリソースに関連する、請求項９に記載の方法。
【請求項１１】
ＣＳＩ−ＲＳの前記第１のセットとＣＳＩ−ＲＳの前記第２のセットとが、同じリソースのセットに関連するが、異なるアンテナポートに関連する、請求項９に記載の方法。
【請求項１２】
送信されたリソースブロック中のＣＳＩ−ＲＳポートの第１のセットとＣＳＩ−ＲＳポートの第２のセットとに同じプリコーディングが適用される、請求項９に記載の方法。
【請求項１３】
ＲＳの前記第１のセットが復調のためのＵＥ固有ＲＳ（ＵＥ−ＲＳ）を備え、ＲＳの前記第２のセットがチャネル状態情報基準信号（ＣＳＩ−ＲＳ）を備える、請求項１に記載の方法。
【請求項１４】
発展型ノードＢ（ｅＮＢ）から近接情報を受信することをさらに備え、前記近接情報がＲＳの前記第１のセットとＲＳの前記第２のセットとの伝搬時間差を備える、請求項１に記載の方法。
【請求項１５】
多地点協調（ＣｏＭＰ）送信をサポートする送信モードを使用して前記送信を受信するための構成を受信することをさらに備える、請求項１に記載の方法。
【請求項１６】
ＲＳの前記第１のセットおよびＲＳの前記第２のセットは、両方とも同じリソースブロックで受信される、請求項１に記載の方法。
【請求項１７】
発展型ノードＢ（ｅＮＢ）のワイヤレス通信の方法であって、
送信を受信するようにユーザ機器（ＵＥ）を構成することと、
前記送信中で前記ＵＥに少なくとも１つのリソースブロックを送信することと、前記少なくとも１つのリソースブロックが、前記ＵＥに固有の、基準信号（ＲＳ）の第１のセットを備える、
前記送信中にＲＳの第２のセットを与えることと、
ＲＳの前記第２のセットが前記ＵＥにとって利用可能であるか否かを示す情報を前記ＵＥに送信することとを備え、ＲＳの前記第２のセットは、サブフレームのダウンリンクタイミングを更新するために時間追跡を実行することに使用するように構成される、方法。
【請求項１８】
前記ＵＥが、ＲＳの前記第１のセットに基づいて、およびＲＳの前記第２のセットが前記ＵＥにとって利用可能である場合、ＲＳの前記第２のセットにさらに基づいて、チャネル推定またはタイミング推定のうちの少なくとも１つを実行する、請求項１７に記載の方法。
【請求項１９】
ＲＳの前記第１のセットとＲＳの前記第２のセットとが復調のためのＵＥ固有ＲＳ（ＵＥ−ＲＳ）である、請求項１８に記載の方法。
【請求項２０】
ＵＥ−ＲＳの前記第２のセットが前記少なくとも１つのリソースブロック内に含まれているとき、ＵＥ−ＲＳの前記第２のセットが前記ＵＥにとって利用可能である、請求項１９に記載の方法。
【請求項２１】
ＵＥ−ＲＳの前記第２のセットを備えるリソースブロックが前記少なくとも１つのリソースブロックと同じプリコーディングリソースブロックグループ（ＰＲＧ）に関連するとき、ＵＥ−ＲＳの前記第２のセットが前記ＵＥにとって利用可能である、請求項１９に記載の方法。
【請求項２２】
前記送信が前記ＵＥ用であり、ＵＥ−ＲＳの前記第１のセットが前記ＵＥ用であり、ＵＥ−ＲＳの前記第２のセットが別のＵＥ用であるかまたは他のいかなるＵＥ用でもない、請求項１９に記載の方法。
【請求項２３】
ＵＥ−ＲＳの前記第１のセットとＵＥ−ＲＳの前記第２のセットとが異なるプリコーディングを有する、請求項１９に記載の方法。
【請求項２４】
ＵＥ−ＲＳの前記第１のセットとＵＥ−ＲＳの前記第２のセットとが同じプリコーディングを有する、請求項１９に記載の方法。
【請求項２５】
ＲＳの前記第１のセットとＲＳの前記第２のセットとがチャネル状態情報基準信号（ＣＳＩ−ＲＳ）である、請求項１８に記載の方法。
【請求項２６】
ＣＳＩ−ＲＳの前記第１のセットとＣＳＩ−ＲＳの前記第２のセットとが異なるリソースに関連する、請求項２５に記載の方法。
【請求項２７】
ＣＳＩ−ＲＳの前記第１のセットとＣＳＩ−ＲＳの前記第２のセットとが、同じリソースのセットに関連するが、異なるアンテナポートに関連する、請求項２５に記載の方法。
【請求項２８】
送信されたリソースブロック中のＣＳＩ−ＲＳポートの第１のセットとＣＳＩ−ＲＳポートの第２のセットとに同じプリコーディングが適用される、請求項２５に記載の方法。
【請求項２９】
ＲＳの前記第１のセットが復調のためのＵＥ固有ＲＳ（ＵＥ−ＲＳ）を備え、ＲＳの前記第２のセットがチャネル状態情報基準信号（ＣＳＩ−ＲＳ）を備える、請求項１８に記載の方法。
【請求項３０】
前記ＵＥに近接情報を送信することをさらに備え、前記近接情報がＲＳの前記第１のセットとＲＳの前記第２のセットとの伝搬時間差を備える、請求項１７に記載の方法。
【請求項３１】
多地点協調（ＣｏＭＰ）送信をサポートする送信モードを使用して前記送信を受信するための構成を前記ＵＥに送信することをさらに備える、請求項１７に記載の方法。
【請求項３２】
ＲＳの前記第１のセットおよびＲＳの前記第２のセットは、両方とも同じリソースブロックで送信される、請求項１７に記載の方法。
【請求項３３】
ユーザ機器（ＵＥ）であって、
送信中の少なくとも１つのリソースブロックを受信するための手段と、前記少なくとも１つのリソースブロックが、前記ＵＥに固有の、基準信号（ＲＳ）の第１のセットを備える、
前記ＵＥに固有の、ＲＳの第２のセットが前記送信中で利用可能であるかどうかを判断するための手段と、判断するための前記手段は、発展型ノードＢ（ｅＮＢ）から、ＲＳの前記第２のセットが利用可能であるか否かを示す情報を受信するように構成される、
ＲＳの前記第１のセットに基づいて、および利用可能と判断された場合、ＲＳの前記第２のセットにさらに基づいて、前記受信した少なくとも１つのリソースブロックを処理するための手段とを備え、ＲＳの前記第２のセットが利用可能であると判断される場合、前記処理するための手段はＲＳの前記第２のセットに少なくとも部分的に基づいてサブフレームのダウンリンクタイミングを更新するために時間追跡を実行するように構成される、ユーザ機器（ＵＥ）。
【請求項３４】
処理するための前記手段が、チャネル推定またはタイミング推定のうちの少なくとも１つを実行するように構成された、請求項３３に記載のＵＥ。
【請求項３５】
ＲＳの前記第１のセットとＲＳの前記第２のセットとが復調のためのＵＥ固有ＲＳ（ＵＥ−ＲＳ）である、請求項３３に記載のＵＥ。
【請求項３６】
ＵＥ−ＲＳの前記第２のセットが前記少なくとも１つのリソースブロック内に含まれているとき、ＵＥ−ＲＳの前記第２のセットの利用可能性が判断される、請求項３５に記載のＵＥ。
【請求項３７】
ＵＥ−ＲＳの前記第２のセットを備えるリソースブロックが前記少なくとも１つのリソースブロックと同じプリコーディングリソースブロックグループ（ＰＲＧ）に関連するとき、ＵＥ−ＲＳの前記第２のセットの利用可能性が判断される、請求項３５に記載のＵＥ。
【請求項３８】
前記送信が前記ＵＥ用であり、ＵＥ−ＲＳの前記第１のセットが前記ＵＥ用であり、ＵＥ−ＲＳの前記第２のセットが別のＵＥ用であるかまたは他のいかなるＵＥ用でもない、請求項３５に記載のＵＥ。
【請求項３９】
ＵＥ−ＲＳの前記第１のセットとＵＥ−ＲＳの前記第２のセットとが異なるプリコーディングを有する、請求項３５に記載のＵＥ。
【請求項４０】
ＵＥ−ＲＳの前記第１のセットとＵＥ−ＲＳの前記第２のセットとが同じプリコーディングを有する、請求項３５に記載のＵＥ。
【請求項４１】
ＲＳの前記第１のセットとＲＳの前記第２のセットとがチャネル状態情報基準信号（ＣＳＩ−ＲＳ）である、請求項３３に記載のＵＥ。
【請求項４２】
ＣＳＩ−ＲＳの前記第１のセットとＣＳＩ−ＲＳの前記第２のセットとが異なるリソースに関連する、請求項４１に記載のＵＥ。
【請求項４３】
ＣＳＩ−ＲＳの前記第１のセットとＣＳＩ−ＲＳの前記第２のセットとが、同じリソースのセットに関連するが、異なるアンテナポートに関連する、請求項４１に記載のＵＥ。
【請求項４４】
送信されたリソースブロック中のＣＳＩ−ＲＳポートの第１のセットとＣＳＩ−ＲＳポートの第２のセットとに同じプリコーディングが適用される、請求項４１に記載のＵＥ。
【請求項４５】
ＲＳの前記第１のセットが復調のためのＵＥ固有ＲＳ（ＵＥ−ＲＳ）を備え、ＲＳの前記第２のセットがチャネル状態情報基準信号（ＣＳＩ−ＲＳ）を備える、請求項３３に記載のＵＥ。
【請求項４６】
発展型ノードＢ（ｅＮＢ）から近接情報を受信するための手段をさらに備え、前記近接情報がＲＳの前記第１のセットとＲＳの前記第２のセットとの伝搬時間差を備える、請求項３３に記載のＵＥ。
【請求項４７】
多地点協調（ＣｏＭＰ）送信をサポートする送信モードを使用して前記送信を受信するための構成を受信するための手段をさらに備える、請求項３３に記載のＵＥ。
【請求項４８】
ＲＳの前記第１のセットおよびＲＳの前記第２のセットは、両方とも同じリソースブロックで受信される、請求項３３に記載のＵＥ。
【請求項４９】
発展型ノードＢ（ｅＮＢ）であって、
送信を受信するようにユーザ機器（ＵＥ）を構成するための手段と、
前記送信中で前記ＵＥに少なくとも１つのリソースブロックを送信するための手段と、前記少なくとも１つのリソースブロックが、前記ＵＥに固有の、基準信号（ＲＳ）の第１のセットを備える、
前記送信中にＲＳの第２のセットを与えるための手段と、
ＲＳの前記第２のセットが前記ＵＥにとって利用可能であるか否かを示す情報を前記ＵＥに送信するための手段とを備え、ＲＳの前記第２のセットは、サブフレームのダウンリンクタイミングを更新するために時間追跡を実行することに使用するように構成される、発展型ノードＢ（ｅＮＢ）。
【請求項５０】
前記ＵＥが、ＲＳの前記第１のセットに基づいて、およびＲＳの前記第２のセットが前記ＵＥにとって利用可能である場合、ＲＳの前記第２のセットにさらに基づいて、チャネル推定またはタイミング推定のうちの少なくとも１つを実行する、請求項４９に記載のｅＮＢ。
【請求項５１】
ＲＳの前記第１のセットとＲＳの前記第２のセットとが復調のためのＵＥ固有ＲＳ（ＵＥ−ＲＳ）である、請求項５０に記載のｅＮＢ。
【請求項５２】
ＵＥ−ＲＳの前記第２のセットが前記少なくとも１つのリソースブロック内に含まれているとき、ＵＥ−ＲＳの前記第２のセットが前記ＵＥにとって利用可能である、請求項５１に記載のｅＮＢ。
【請求項５３】
ＵＥ−ＲＳの前記第２のセットを備えるリソースブロックが前記少なくとも１つのリソースブロックと同じプリコーディングリソースブロックグループ（ＰＲＧ）に関連するとき、ＵＥ−ＲＳの前記第２のセットが前記ＵＥにとって利用可能である、請求項５１に記載のｅＮＢ。
【請求項５４】
前記送信が前記ＵＥ用であり、ＵＥ−ＲＳの前記第１のセットが前記ＵＥ用であり、ＵＥ−ＲＳの前記第２のセットが別のＵＥ用であるかまたは他のいかなるＵＥ用でもない、請求項５１に記載のｅＮＢ。
【請求項５５】
ＵＥ−ＲＳの前記第１のセットとＵＥ−ＲＳの前記第２のセットとが異なるプリコーディングを有する、請求項５１に記載のｅＮＢ。
【請求項５６】
ＵＥ−ＲＳの前記第１のセットとＵＥ−ＲＳの前記第２のセットとが同じプリコーディングを有する、請求項５１に記載のｅＮＢ。
【請求項５７】
ＲＳの前記第１のセットとＲＳの前記第２のセットとがチャネル状態情報基準信号（ＣＳＩ−ＲＳ）である、請求項５０に記載のｅＮＢ。
【請求項５８】
ＣＳＩ−ＲＳの前記第１のセットとＣＳＩ−ＲＳの前記第２のセットとが異なるリソースに関連する、請求項５７に記載のｅＮＢ。
【請求項５９】
ＣＳＩ−ＲＳの前記第１のセットとＣＳＩ−ＲＳの前記第２のセットとが、同じリソースのセットに関連するが、異なるアンテナポートに関連する、請求項５７に記載のｅＮＢ。
【請求項６０】
送信されたリソースブロック中のＣＳＩ−ＲＳポートの第１のセットとＣＳＩ−ＲＳポートの第２のセットとに同じプリコーディングが適用される、請求項５７に記載のｅＮＢ。
【請求項６１】
ＲＳの前記第１のセットが復調のためのＵＥ固有ＲＳ（ＵＥ−ＲＳ）を備え、ＲＳの前記第２のセットがチャネル状態情報基準信号（ＣＳＩ−ＲＳ）を備える、請求項５０に記載のｅＮＢ。
【請求項６２】
前記ＵＥに近接情報を送信するための手段をさらに備え、前記近接情報がＲＳの前記第１のセットとＲＳの前記第２のセットとの伝搬時間差を備える、請求項４９に記載のｅＮＢ。
【請求項６３】
多地点協調（ＣｏＭＰ）送信をサポートする送信モードを使用して前記送信を受信するための構成を前記ＵＥに送信するための手段をさらに備える、請求項４９に記載のｅＮＢ。
【請求項６４】
ＲＳの前記第１のセットおよびＲＳの前記第２のセットは、両方とも同じリソースブロックで送信される、請求項４９に記載のｅＮＢ。
【請求項６５】
メモリと、
前記メモリに結合された処理システムであって、
送信中の少なくとも１つのリソースブロックを受信することと、前記少なくとも１つのリソースブロックが、前記ＵＥに固有の、基準信号（ＲＳ）の第１のセットを備える、
前記ＵＥに固有の、ＲＳの第２のセットが前記送信中で利用可能であるかどうかを判断することと、判断するように構成された前記処理システムは、発展型ノードＢ（ｅＮＢ）から、ＲＳの前記第２のセットが利用可能であるか否かを示す情報を受信するようにさらに構成される、
ＲＳの前記第１のセットに基づいて、および利用可能と判断された場合、ＲＳの前記第２のセットにさらに基づいて、前記受信した少なくとも１つのリソースブロックを処理することとを行うように構成された処理システムとを備え、ＲＳの前記第２のセットが利用可能であると判断される場合、前記処理システムはＲＳの前記第２のセットに少なくとも部分的に基づいてサブフレームのダウンリンクタイミングを更新するために時間追跡を実行することによって前記少なくとも１つのリソースを処理するように構成される、ユーザ機器（ＵＥ）。
【請求項６６】
前記処理システムが、チャネル推定またはタイミング推定のうちの少なくとも１つを実行するようにさらに構成された、請求項６５に記載のＵＥ。
【請求項６７】
ＲＳの前記第１のセットとＲＳの前記第２のセットとが復調のためのＵＥ固有ＲＳ（ＵＥ−ＲＳ）である、請求項６５に記載のＵＥ。
【請求項６８】
ＵＥ−ＲＳの前記第２のセットが前記少なくとも１つのリソースブロック内に含まれているとき、ＵＥ−ＲＳの前記第２のセットの利用可能性が判断される、請求項６７に記載のＵＥ。
【請求項６９】
ＵＥ−ＲＳの前記第２のセットを備えるリソースブロックが前記少なくとも１つのリソースブロックと同じプリコーディングリソースブロックグループ（ＰＲＧ）に関連するとき、ＵＥ−ＲＳの前記第２のセットの利用可能性が判断される、請求項６７に記載のＵＥ。
【請求項７０】
前記送信が前記ＵＥ用であり、ＵＥ−ＲＳの前記第１のセットが前記ＵＥ用であり、ＵＥ−ＲＳの前記第２のセットが別のＵＥ用であるかまたは他のいかなるＵＥ用でもない、請求項６７に記載のＵＥ。
【請求項７１】
ＵＥ−ＲＳの前記第１のセットとＵＥ−ＲＳの前記第２のセットとが異なるプリコーディングを有する、請求項６７に記載のＵＥ。
【請求項７２】
ＵＥ−ＲＳの前記第１のセットとＵＥ−ＲＳの前記第２のセットとが同じプリコーディングを有する、請求項６７に記載のＵＥ。
【請求項７３】
ＲＳの前記第１のセットとＲＳの前記第２のセットとがチャネル状態情報基準信号（ＣＳＩ−ＲＳ）である、請求項６５に記載のＵＥ。
【請求項７４】
ＣＳＩ−ＲＳの前記第１のセットとＣＳＩ−ＲＳの前記第２のセットとが異なるリソースに関連する、請求項７３に記載のＵＥ。
【請求項７５】
ＣＳＩ−ＲＳの前記第１のセットとＣＳＩ−ＲＳの前記第２のセットとが、同じリソースのセットに関連するが、異なるアンテナポートに関連する、請求項７３に記載のＵＥ。
【請求項７６】
送信されたリソースブロック中のＣＳＩ−ＲＳポートの第１のセットとＣＳＩ−ＲＳポートの第２のセットとに同じプリコーディングが適用される、請求項７３に記載のＵＥ。
【請求項７７】
ＲＳの前記第１のセットが復調のためのＵＥ固有ＲＳ（ＵＥ−ＲＳ）を備え、ＲＳの前記第２のセットがチャネル状態情報基準信号（ＣＳＩ−ＲＳ）を備える、請求項６５に記載のＵＥ。
【請求項７８】
前記処理システムが、発展型ノードＢ（ｅＮＢ）から近接情報を受信するようにさらに構成され、前記近接情報がＲＳの前記第１のセットとＲＳの前記第２のセットとの伝搬時間差を備える、請求項６５に記載のＵＥ。
【請求項７９】
前記処理システムが、多地点協調（ＣｏＭＰ）送信をサポートする送信モードを使用して前記送信を受信するための構成を受信するようにさらに構成された、請求項６５に記載のＵＥ。
【請求項８０】
ＲＳの前記第１のセットおよびＲＳの前記第２のセットは、両方とも同じリソースブロックで受信される、請求項６５に記載のＵＥ。
【請求項８１】
メモリと、
前記メモリに結合された処理システムであって、
送信を受信するようにユーザ機器（ＵＥ）を構成し、
前記送信中で前記ＵＥに少なくとも１つのリソースブロックを送信し、前記少なくとも１つのリソースブロックが、前記ＵＥに固有の、基準信号（ＲＳ）の第１のセットを備える、
前記送信中にＲＳの第２のセットを与え、
ＲＳの前記第２のセットが前記ＵＥにとって利用可能であるか否かを示す情報を前記ＵＥに送信するように構成された処理システムとを備え、ＲＳの前記第２のセットは、サブフレームのダウンリンクタイミングを更新するために時間追跡を実行することに使用するように構成される、発展型ノードＢ（ｅＮＢ）。
【請求項８２】
前記ＵＥが、ＲＳの前記第１のセットに基づいて、およびＲＳの前記第２のセットが前記ＵＥにとって利用可能である場合、ＲＳの前記第２のセットにさらに基づいて、チャネル推定またはタイミング推定のうちの少なくとも１つを実行する、請求項８１に記載のｅＮＢ。
【請求項８３】
ＲＳの前記第１のセットとＲＳの前記第２のセットとが復調のためのＵＥ固有ＲＳ（ＵＥ−ＲＳ）である、請求項８２に記載のｅＮＢ。
【請求項８４】
ＵＥ−ＲＳの前記第２のセットが前記少なくとも１つのリソースブロック内に含まれているとき、ＵＥ−ＲＳの前記第２のセットが前記ＵＥにとって利用可能である、請求項８３に記載のｅＮＢ。
【請求項８５】
ＵＥ−ＲＳの前記第２のセットを備えるリソースブロックが前記少なくとも１つのリソースブロックと同じプリコーディングリソースブロックグループ（ＰＲＧ）に関連するとき、ＵＥ−ＲＳの前記第２のセットが前記ＵＥにとって利用可能である、請求項８３に記載のｅＮＢ。
【請求項８６】
前記送信が前記ＵＥ用であり、ＵＥ−ＲＳの前記第１のセットが前記ＵＥ用であり、ＵＥ−ＲＳの前記第２のセットが別のＵＥ用であるかまたは他のいかなるＵＥ用でもない、請求項８３に記載のｅＮＢ。
【請求項８７】
ＵＥ−ＲＳの前記第１のセットとＵＥ−ＲＳの前記第２のセットとが異なるプリコーディングを有する、請求項８３に記載のｅＮＢ。
【請求項８８】
ＵＥ−ＲＳの前記第１のセットとＵＥ−ＲＳの前記第２のセットとが同じプリコーディングを有する、請求項８３に記載のｅＮＢ。
【請求項８９】
ＲＳの前記第１のセットとＲＳの前記第２のセットとがチャネル状態情報基準信号（ＣＳＩ−ＲＳ）である、請求項８２に記載のｅＮＢ。
【請求項９０】
ＣＳＩ−ＲＳの前記第１のセットとＣＳＩ−ＲＳの前記第２のセットとが異なるリソースに関連する、請求項８９に記載のｅＮＢ。
【請求項９１】
ＣＳＩ−ＲＳの前記第１のセットとＣＳＩ−ＲＳの前記第２のセットとが、同じリソースのセットに関連するが、異なるアンテナポートに関連する、請求項８９に記載のｅＮＢ。
【請求項９２】
送信されたリソースブロック中のＣＳＩ−ＲＳポートの第１のセットとＣＳＩ−ＲＳポートの第２のセットとに同じプリコーディングが適用される、請求項８９に記載のｅＮＢ。
【請求項９３】
ＲＳの前記第１のセットが復調のためのＵＥ固有ＲＳ（ＵＥ−ＲＳ）を備え、ＲＳの前記第２のセットがチャネル状態情報基準信号（ＣＳＩ−ＲＳ）を備える、請求項８２に記載のｅＮＢ。
【請求項９４】
前記処理システムが前記ＵＥに近接情報を送信するようにさらに構成され、前記近接情報がＲＳの前記第１のセットとＲＳの前記第２のセットとの伝搬時間差を備える、請求項８１に記載のｅＮＢ。
【請求項９５】
前記処理システムが、多地点協調（ＣｏＭＰ）送信をサポートする送信モードを使用して前記送信を受信するための構成を前記ＵＥに送信するようにさらに構成された、請求項８１に記載のｅＮＢ。
【請求項９６】
ＲＳの前記第１のセットおよびＲＳの前記第２のセットは、両方とも同じプリコーディングで送信される、請求項８１に記載のｅＮＢ。
【請求項９７】
ワイヤレス通信のためのコンピュータ実行可能なコードを記憶した非一時的なコンピュータ可読媒体であって、
送信中の少なくとも１つのリソースブロックを受信することと、前記少なくとも１つのリソースブロックが、前記ＵＥに固有の、基準信号（ＲＳ）の第１のセットを備える、
前記ＵＥに固有の、ＲＳの第２のセットが前記送信中で利用可能であるかどうかを判断することと、前記判断することは、発展型ノードＢ（ｅＮＢ）から、ＲＳの前記第２のセットが利用可能であるか否かを示す情報を受信することを備える、
ＲＳの前記第１のセットに基づいて、および利用可能と判断された場合、ＲＳの前記第２のセットにさらに基づいて、前記受信した少なくとも１つのリソースブロックを処理することとを行うためのコードを備え、ＲＳの前記第２のセットが利用可能であると判断される場合、前記処理はＲＳの前記第２のセットに少なくとも部分的に基づいてサブフレームのダウンリンクタイミングを更新するために時間追跡を実行することを備える、非一時的なコンピュータ可読媒体。
【請求項９８】
ワイヤレス通信のためのコンピュータ実行可能なコードを記憶した非一時的なコンピュータ可読媒体であって、
送信を受信するようにユーザ機器（ＵＥ）を構成することと、
前記送信中で前記ＵＥに少なくとも１つのリソースブロックを送信することと、前記少なくとも１つのリソースブロックが、前記ＵＥに固有の、基準信号（ＲＳ）の第１のセットを備える、
前記送信中にＲＳの第２のセットを与えることと、
ＲＳの前記第２のセットが前記ＵＥにとって利用可能であるか否かを示す情報を前記ＵＥに送信することとを行うためのコードを備え、
前記ＵＥが、ＲＳの前記第１のセットに基づいて、およびＲＳの前記第２のセットが前記ＵＥにとって利用可能である場合、ＲＳの前記第２のセットにさらに基づいて、チャネル推定またはタイミング推定のうちの少なくとも１つを実行し、
ＲＳの前記第２のセットは、サブフレームのダウンリンクタイミングを更新するために時間追跡を実行することに使用するように構成される、非一時的なコンピュータ可読媒体。